(57)【要約】【課題】センター飾りのステージ部分にも効果的な装飾を施すことができて、図柄表示装置部分の意匠性とパチンコ遊技の興趣を同時に高めることが可能なパチンコ遊技機を提供する。【解決手段】図柄表示装置とステージが設けられたセンター飾りとを備えたパチンコ遊技機において、センター飾りのステージの前端に、ステージの左右端部における遊技球の前方への落下を規制すると共にステージ上の遊技球を遊技者が透視し得る装飾カバーが配置されていることを特徴とする。前記装飾カバーは、長手方向の中央部分にステージ上の遊技球を下方の始動入賞口方向に落下させ得る落下口及びステージに設けた開口から案内路に進入した遊技球を始動入賞口に向けて落下させ得る前面開口を有する。【選択図】  図３
2008000531.tif 000002
【特許請求の範囲】
【請求項１】
遊技盤に配置された図柄表示装置と、該図柄表示装置を取り囲むように配置されてその下部にステージが設けられたセンター飾りと、を備えたパチンコ遊技機において、
前記センター飾りのステージの前端に、ステージの左右端部における遊技球の前方への落下を規制すると共にステージ上の遊技球を遊技者が透視し得る装飾カバーが配置されていることを特徴とするパチンコ遊技機。
【請求項２】
前記装飾カバーは、長手方向の中央部分にステージ上の遊技球を下方の始動入賞口方向に落下させ得る落下口を有することを特徴とする請求項１または２に記載のパチンコ遊技機。
【請求項３】
前記装飾カバーは、前記落下口の下方に、ステージに設けた開口から案内路に進入した遊技球を始動入賞口に向けて落下させ得る前面開口を有することを特徴とする請求項２に記載のパチンコ遊技機。
【発明の詳細な説明】
【技術分野】
【０００１】
本発明は、図柄表示装置を取り囲むように設けられてその下部にステージ等が設けられたセンター飾りを備えたパチンコ遊技機に関する。
【背景技術】
【０００２】
従来、パチンコ遊技機の遊技盤に配置される図柄表示装置の周囲には、該図柄表示装置を取り囲むようにステージやワープ経路を有するセンター飾りが配置されており、このセンター飾りとしては、例えば特許文献１に開示のものが知られている。このセンター飾りは、図柄表示装置の左右両側部に形成されたワープ経路と、図柄表示装置の下部に形成された三列のステージ面を有するステージ等を備え、ワープ経路の入口から入った遊技球がワープ経路を落下してワープ出口からステージ上に進入し、この遊技球がステージの中央から下方に落下してステージ下方に配置された始動入賞口に入賞することにより図柄表示装置が作動するようになっている。
【特許文献１】特開２００４−２５４９５５号公報
【発明の開示】
【発明が解決しようとする課題】
【０００３】
しかしながら、このようなパチンコ遊技機にあっては、センター飾りのステージが前後三列のステージ面を有し、各面が前方に開放した状態で設けられているため、各ステージ面を移動する遊技球を遊技者が直接視認できるものの、ステージ部分が左右のワープ経路部や上部の装飾部に比較してデザイン的に乏しく、図柄表示装置の周囲全域に効果的な装飾（意匠）を施すことが難しい。また、各ステージ面が露出状態で前方からそのまま視認されるため、遊技球の動きが遊技者にとって単調に感じ易くパチンコ遊技の興趣を十分に高めることが難しい。
【０００４】
本発明は、このような事情に鑑みてなされたもので、その目的は、センター飾りのステージ部分にも効果的な装飾を施すことができて、図柄表示装置部分の意匠性とパチンコ遊技の興趣を同時に高めることが可能なパチンコ遊技機を提供することにある。
【課題を解決するための手段】
【０００５】
かかる目的を達成すべく、本発明のうち請求項１に記載の発明は、遊技盤に配置された図柄表示装置と、該図柄表示装置を取り囲むように配置されてその下部にステージが設けられたセンター飾りと、を備えたパチンコ遊技機において、前記センター飾りのステージの前端に、ステージの左右端部における遊技球の前方への落下を規制すると共にステージ上の遊技球を遊技者が透視し得る装飾カバーが配置されていることを特徴とする。
【０００６】
そして、前記装飾カバーは、請求項２に記載の発明のように、長手方向の中央部分にステージ上の遊技球を下方の始動入賞口方向に落下させ得る落下口を有していたり、請求項３に記載の発明のように、前記落下口の下方に、ステージに設けた開口から案内路に進入した遊技球を始動入賞口に向けて落下させ得る前面開口を有することが好ましい。
【発明の効果】
【０００７】
本発明のうち請求項１に記載の発明によれば、図柄表示装置を取り囲むように配置されるセンター飾りのステージの前端に、ステージの左右端部における遊技球の前方への落下を規制すると共にステージ上の遊技球を遊技者が透視し得る装飾カバーが配置されているため、装飾カバーによりセンター飾りのステージ部分に効果的な装飾を施すことができて、例えばセンター飾りに鮫の口部分の意匠を付与できる等、図柄表示装置部分の意匠性を十分に高めることができると共に、所定意匠の装飾カバーを透視した遊技球の視認によりパチンコ遊技の興趣を十分に高めることができる。
【０００８】
また、請求項２に記載の発明によれば、請求項１に記載の発明の効果に加え、装飾カバーの長手方向の中央部分にステージ上の遊技球を下方の始動入賞口方向に落下させ得る落下口が形成されているため、ステージ上を移動し落下口から落下する遊技球の始動入賞口への入賞期待が高まり、パチンコ遊技の興趣が一層高めることができる。
【０００９】
さらに、請求項３に記載の発明によれば、請求項２に記載の発明の効果に加え、装飾カバーの落下口の下方にステージに設けた開口から案内路に進入した遊技球を始動入賞口に向けて落下させ得る前面開口が形成されているため、ステージ上から案内路に進入し前面開口から落下する遊技球の始動入賞口への入賞期待が高まり、パチンコ遊技の興趣をより一層高めることができる。
【発明を実施するための最良の形態】
【００１０】
以下、本発明の実施の形態を図面に基づいて詳細に説明する。
図１〜図４は、本発明に係わるパチンコ遊技機の一実施形態を示し、図１がその正面図、図２が遊技盤の正面図、図３が遊技盤を右斜め上方から見た斜視図、図４が同上方から見た斜視図である。
【００１１】
図１に示すように、パチンコ遊技機１は、前面枠３に取り付けられてその前面がガラス扉４で覆われた遊技盤２を有し、この遊技盤２には、その略中心位置に液晶表示器からなる図柄表示装置５が配置されると共に、この図柄表示装置５を取り囲むようにセンター飾り６が配置されている。また、遊技盤２の下部には特定入賞口７が設けられると共に、この特定入賞口７の上方には遊技球が入賞することにより前記図柄表示装置５を作動させる始動入賞口８が設けられている。
【００１２】
なお、前面枠３の下部には、上受け皿９と下受け皿１０が配置されると共に、下受け皿１０の右側方には発射ハンドル１１が配置されている。また、前記遊技盤２には、図柄表示装置５を取り付けるための図示しない開口部が設けられ、この開口部を利用してその前面側に前記センター飾り６が配置されると共に、センター飾り６の裏面側に遊技盤２の自体の薄型化を図りつつ各種基板１７（図２参照）が所定状態で配置されている。この時の基板１７としては、センター飾り６の右斜め上方に配置されたランプ１２用の基板、あるいは後述する文字板１３駆動用の回路が形成された基板及び各種照明用の基板等である。
【００１３】
前記センター飾り６は、図２に示すように、上部に設けられて所定状態（例えば大当たり状態）の場合に揺動動作する前記文字板１３及びこの文字板１３の前面上部を覆う上装飾カバー１４からなる上装飾部６ａと、下部に設けられたステージ１５及びこのステージ１５の前方を覆う下装飾カバー１６からなる下装飾部６ｂと、図柄表示装置５の左側に設けられたワープ経路部６ｃと、図柄表示装置５の右側に設けられた装飾部６ｄ等を有している。
【００１４】
そして、前記下部装飾部６ｂのステージ１５は、図３及び図４に示すように、前列ステージ１５ａと後列ステージ１５ｂを有し、この両ステージ１５ａ、１５ｂのうち後列ステージ１５ｂは、前列ステージ１５ａより一段高い位置に設けられ、その上面形状が左右長手方向の中央部分が高くその両側が低く遊技球の落下位置となるような波形形状に形成されている。また、後列ステージ１５ｂの中央部分は後方側に水平状態で延設されて該延設部分に案内路２１の一端が連通する開口２２が設けられると共に、案内路２１の他端は前記下装飾カバー１６に設けた前面開口２３に連通している。
【００１５】
この後列ステージ５ｂ上に形成される開口２２は、その内径が遊技球の外径より所定寸法大きく設定されると共に、開口２２周囲に僅かに低い段差２２ａ、２２ｂ（図４参照）が形成され、この段差２２ａ、２２ｂにより遊技球が案内路２１に誘導されるようになっている。さらに、この後列ステージ５ｂの中央部分の前壁には、前記案内路２１内の遊技球が前方から視認できる複数条（図では縦方向に３条）のスリット２５が形成されている。なお、前記案内路２１は、開口２２から下方に垂直状態で延設されると共に前面開口２３に向けて水平状態で延設されることにより右側面視で略Ｌ字形状に形成され、垂直部を落下する遊技球がスリット２５を介して前方から視認されるようになっている。
【００１６】
この後列ステージ１５ｂの前方に所定の段差を有して設けられる前列ステージ１５ａは、その上面形状が左右長手方向の中央部が若干高くなるように形成されると共に、その前端部には本発明を構成する前記下装飾カバー１６が配置されている。この下装飾カバー１６は、上端側に多数の突起が形成されて鮫の下歯形状のイメージが得られると共に、透過性樹脂の成形により前方からステージ１５上の遊技球が視認されるようになっている。また、下装飾カバー１６の長手方向の中央部分には、後述する如く遊技球の落下部となる切欠き状の落下口２４が設けられている。そして、この下装飾カバー１６は、鮫の上歯形状に形成された前記上装飾カバー１４に対して上下方向に対向配置されることにより、センター飾り６全体が鮫の口をイメージできるように形成されている。
【００１７】
なお、ステージ１５の前列ステージ１５ａと後列ステージ１５ｂ間で長手方向の中央部分には、後列ステージ１５ｂ上の遊技球の当該位置における前列ステージ１５ａ上の落下を規制する鮫の歯をイメージした形状の複数個（図では４個）の規制板２６が設けられ、また、後列ステージ１５ｂの後端部には、始動入賞口８に入賞した遊技球の個数を最大４個まで表示する、規制板２６と同様に鮫の歯をイメージした表示灯２７が４個設けられている。
【００１８】
また、前記ワープ経路部６ｃは、その内部に、センター飾り６の外側で左上部に開口するワープ入口１８ａとセンター飾り６の内側で前記後列ステージ１５ｂの左端部近傍に開口するワープ出口１８ｂとを連通するワープ経路１８を有し、例えば透過性の樹脂により表面部と両側部からなる断面略コ字状に形成されている。そして、このワープ経路部６ｃの表面には、レンズとして機能する凸部１９が連続する状態で複数個形成されると共に、透過性の樹脂の使用により表面側からワープ経路１８内が視認され得るようになっている。また、ワープ経路１８の底面側には、前述した基板１７等が配置され、例えばこの基板１７に実装されたＬＥＤ等のランプの点灯によりワープ経路１８内が照明されるようになっている。
【００１９】
前記装飾部６ｄは、ワープ経路部６ｃと左右対称位置に配置されることから、その全体形状がワープ経路部６ｃに類似した形状に設定されて、その表面にはワープ経路部６ｃと略同様の凸部２０が複数個形成されている。なお、前記上装飾部６ａの文字板１３は、図示しないモータ等により揺動可能に配置され、また、センター飾り６の右斜め上方の遊技盤２には、大当たり発生時等に所定の形態で点灯する前記ランプ１２が例えば３個配置されている。
【００２０】
次に、このように構成されたパチンコ遊技機１の動作の一例について説明する。遊技者の発射ハンドル１１の操作により遊技盤２内に遊技球が発射され、この遊技球が例えばセンター飾り６のワープ経路部６ｃのワープ入口１８ａからワープ経路１８内に進入すると、この遊技球は図３の矢印イの如くワープ経路１８内を落下する。この時、ワープ経路部６ｃが透過性の樹脂により形成されると共に、表面に多数の凸部１９が形成されてレンズとして機能しているため、照明用の基板等により照明されたワープ経路１８内が前方から視認されて、ワープ経路１８内を落下する遊技球の状態が遊技者に視認されることなる。
【００２１】
そして、ワープ経路１８内を落下してワープ出口１８ｂから後列ステージ１５ｂ上に進入した遊技球は、ワープ経路１８内の落下速度や回転状態に応じて後列ステージ１５ｂ上を転動しつつ、図３及び図４の矢印ロに示すように、その左右両側から前方の前列ステージ１５ａ上に落下する。そして、この前列ステージ１５ａ上の遊技球は、下装飾カバー１６により左右両側から前方への落下が規制されつつ中央部の下装飾カバー１６の落下口２４から下方に落下し、この落下する遊技球の一部が所定確率で前記始動入賞口８に入賞するようになっている。この前列ステージ１５ａの落下口２４から下方に落下する遊技球は、後列ステージ１５ｂ上からの一連の動きが透過性の下装飾カバー１６を通して前方から遊技者に視認されることになる。
【００２２】
また、ワープ経路１８から後列ステージ１５ｂ上に進入した遊技球のうち該ステージ１５ｂの中央部分に位置する遊技球の一部は、図３及び図４の矢印ニに示すように、後列ステージ１５ｂ上の中央部分に設けた開口２２に進入し案内路２１を介して前面開口２３から下方に落下し、この前面開口２３から落下する遊技球が例えば始動入賞口８に入賞するようになっている。この時の遊技球は、後列ステージ１５ｂの最も高い中央部分で後方側に転動することにより、開口２２の段差２２ａ、２２ｂで例えば所定方向に回転する等の誘導を受けつつ案内路２１内に進入して、遊技球の動きに多彩な変化が得られることになる。
【００２３】
なお、前記前面開口２３から落下する遊技球は、前面開口２３が始動入賞口８の直上方に位置していることから、前列ステージ１５ｂの落下口２４から落下する遊技球に対して始動入賞口８への入賞確率が高くなる。そして、始動入賞口８に遊技球が入賞すると前記図柄表示装置５が作動して、例えば図柄が特定図柄の大当たりの場合に、特定入賞口７が所定時間（所定回数）開放して、遊技者に有利な遊技状態が得られるようになっている。
【００２４】
このように、上記実施形態のパチンコ遊技機１にあっては、図柄表示装置５を取り囲むように配置されるセンター飾り６の前列ステージ１５ａの前端に、該前列ステージ１５ａの左右端部における遊技球の前方への落下を規制すると共にステージ１５ａ上の遊技球を遊技者が透視し得る下装飾カバー１６が配置されているため、センター飾り６のステージ１５部分にも効果的な装飾を施すことができて、例えばセンター飾り６に鮫の口部分の意匠を付与できる等、センター飾り６の意匠性を十分に高めることができると共に、所定意匠の下装飾カバー１６を透視した遊技球の視認によりパチンコ遊技の興趣を十分に高めることができる。
【００２５】
特に、下装飾カバー１６の長手方向の中央部分に前列ステージ１５ａ上の遊技球を下方の始動入賞口８方向に落下させ得る切欠き状の落下口２４が形成されていたり、下装飾カバー１６の落下口２４下方の前面開口２３から案内路２１に進入した遊技球を始動入賞口８に向けて落下させることができるため、鮫の下歯形状の１枚物の下装飾カバー１６から遊技球が落下する状態となって、遊技球の移動や落下に従来にない動きが得られると共に、下装飾カバー１６の厚み等によるレンズ機能で前方から視認した際の遊技球の動きが従来のように単調とならず、パチンコ遊技の興趣をより一層高めることができる。
【００２６】
また、図柄表示装置５の周囲に配置されるセンター飾り６が、それぞれ別体で形成された上下装飾部６ａ、６ｂとワープ経路部６ｃ及び右装飾部６ｄの４つの部品で形成されているため、凸部１９、２０を有する複雑な表面形状のワープ経路部６ｃや右装飾部６ｄ等をそれぞれ単体で成形できて、各部品の製造コストを低減化させ、遊技盤２自体のコストダウンを図ることができる。
【００２７】
また、上記パチンコ遊技機１にあっては、次のような付随的な作用効果を得ることができる。すなわち、センター飾り６のステージ１５が前後のステージ１５ａ、１５ｂを有すると共に、後列ステージ１５ｂ面の長手方向中央部に後方に延設状態でかつ略面一状態で開口２２が形成されているため、該ステージ１５ｂ上の遊技球を開口２２から案内路２１を介して始動入賞口８上方の前面開口２３から落下させることができ、ステージ１５から落下する遊技球の始動入賞口８への入賞形態を案内路２１と前列ステージ１５ａ前端等の複数形態とすることができると共に、後列ステージ１５ｂと略面一状態の開口２２部分での遊技球の動きに変化を得ることができる。
【００２８】
また、後列ステージ１５ｂ上から開口２２を介して案内路２１に進入した遊技球が、後列ステージ１５ｂの前壁に設けた３条のスリット２５によって前方から視認されるため、案内路２１への遊技球の進入やその状態を遊技者が把握することができると共に、後列ステージ１５ｂの開口２２周囲に該ステージ１５ｂ上の遊技球を案内路２１に誘導するための一段低い段差２２ａ、２２ｂが形成されているため、後列ステージ１５の中央部分における遊技球の動きに一層変化を得ることができ、これらにより、パチンコ遊技の興趣を一層高めることが可能となる。
【００２９】
さらに、図柄表示装置５を取り囲むように配置されたセンター飾り６の左側に内部にワープ経路１８が形成されたワープ経路部６ｃを配置し、このワープ経路部６ｃが透視可能に形成されると共に、その表面に複数の凸部１９が設けられているため、ワープ経路１８内に進入した遊技球の該経路１８内における落下状態を遊技者が遊技中に視認することができる。特に、凸部１９がワープ経路１９の略底面まで透視可能な曲率の凸レンズ形状に形成されると共に、この凸部１９が隣接状態で複数個形成されていることから、所定の曲率設定によりワープ経路１８の底面側を遊技者に視認させることなく、ワープ経路１８内を落下する遊技球のみを遊技者に効果的に視認させることができ、これにより、パチンコ遊技の興趣をより一層高めることができる。
【００３０】
また、ワープ経路部６ｃの凸部１９の形状により、ワープ経路１８の底面側が視認されないように設定されると共に底面側にランプ基板等の各種部品が配置されているため、各種部品をワープ経路１８の底面に露出状態で配置したとしても、この部品が遊技者から視認されることがなく、ワープ経路１８の後方にランプ基板等を効果的に配置できて、遊技盤２の意匠性を向上させたり遊技盤２の設計上の自由度を高めることができると共に、遊技盤２自体を薄型に形成してそのコンパクト化を図ることができる。
【００３１】
なお、上記実施形態においては、センター飾り６を４つの部材６ａ〜６ｄに分割した場合について説明したが、例えば左右に二分割あるいは三分割や五分割以上に分割したり、全てを一体化した構造とする等、パチンコ遊技機１の前面意匠や機能に合わせて適宜に分割することができるし、上装飾カバー１４や下装飾カバ１６の色調や形状等も適宜に設定することができる。また、上記実施形態においては、センター飾り６の下装飾部６ｂに前後二列のステージ１５ａ、１５ｂを設けたが、例えばステージ１５を１列もしくは３列以上で構成ですることもできる。
【産業上の利用可能性】
【００３２】
本発明は、遊技盤に図柄表示装置を有し該図柄表示装置の周囲にステージとワープ経路が設けられたセンター飾りを有する全てのパチンコ遊技機に適用できる。
【図面の簡単な説明】
【００３３】
【図１】本発明に係わるパチンコ遊技機の一実施形態を示す正面図
【図２】同その遊技盤の正面図
【図３】同遊技盤を右斜め上方から見た斜視図
【図４】同遊技盤を上方から見た斜視図
【符号の説明】
【００３４】
１・・・・・・・・パチンコ遊技機
２・・・・・・・・遊技盤
３・・・・・・・・前面枠
５・・・・・・・・図柄表示装置
６・・・・・・・・センター飾り
６ａ・・・・・・・上装飾部
６ｂ・・・・・・・下装飾部
６ｃ・・・・・・・ワープ経路部
６ｄ・・・・・・・右装飾部
１２・・・・・・・ランプ
１３・・・・・・・文字板
１４・・・・・・・上装飾カバー
１５・・・・・・・ステージ
１５ａ・・・・・・前列ステージ
１５ｂ・・・・・・後列ステージ
１６・・・・・・・下装飾カバー
１８・・・・・・・ワープ経路
１９、２０・・・・凸部
２１・・・・・・・案内路
２２・・・・・・・開口
２２ａ、２２ｂ・・段差
２３・・・・・・・前面開口
２４・・・・・・・落下口
２５・・・・・・・スリット
【図１】
2008000531.tif 000003
【図２】
2008000531.tif 000004
【図３】
2008000531.tif 000005
【図４】
2008000531.tif 000006